Podtech/llm-jp-corpus-v4-ja_patent huggingface dataset:
【手続補正書】
【提出日】平成22年4月15日(2010.4.15)
【手続補正１】
【補正対象書類名】明細書
【補正対象項目名】００６０
【補正方法】変更
【補正の内容】
【００６０】
１  デジタルカメラ（撮像装置）
２  操作系
３２ 画像処理部
３５ 記録メディア（記録媒体）
３６ 内部メモリ
３７      区切り画像取得部（区切り画像取得手段）
４０ ＣＰＵ
【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
読取手段によって、静止原稿プラテンガラスの上に載置された静止原稿を、前記静止原稿プラテンガラスを介して読み取るとともに、搬送原稿プラテンガラスの上に搬送されてきた搬送原稿を、前記搬送原稿プラテンガラスを介して読み取る画像読取装置であって、
前記静止原稿プラテンガラスと前記搬送原稿プラテンガラスとは厚さ方向で位置が異なるように隣接して設けられ、前記読取手段が前記搬送原稿プラテンガラスと前記静止原稿プラテンガラスとの間を移動する際に前記読取手段を前記搬送原稿プラテンガラスおよび前記静止原稿プラテンガラスの厚さ方向に移動させる移動手段が設けられたことを特徴とする画像読取装置。
【請求項２】
前記移動手段が、電圧の印加によって伸縮動作して前記読取手段を厚み方向に動かす高分子アクチュエータでなっていることを特徴とする請求項１に記載の画像読取装置。
【請求項３】
前記高分子アクチュエータが高分子の単体、または高分子と金属との複合体でなっていることを特徴とする請求項２に記載の画像読取装置。
【請求項４】
前記高分子アクチュエータに正電圧を印加して伸長動作させることによって前記読取手段が押し下げられて、前記静止原稿プラテンガラスにおける走査移動が可能となることを特徴とする請求項２又は請求項３に記載の画像読取装置。
【請求項５】
前記読取手段がＣＣＤを含む密着型イメージセンサであって、前記静止原稿プラテンガラスおよび前記搬送原稿プラテンガラスにおける原稿と反対側の面と当接することを特徴とする請求項１乃至４のいずれか１項に記載の画像読取装置。
【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
倍率データに従って画像の副走査方向の倍率を補正するために画像データを補正する倍率補正手段と、
前記画像データに基づく画像を形成するスクリーン角を構成するスクリーン領域に含まれる画像データに対してスクリーン処理を行うスクリーン処理手段と、
前記スクリーン処理手段により処理された画像データに基づいて画像を形成する像形成手段とを有し、
前記倍率補正手段は、前記倍率データに従って主走査方向の画像データのラインを削除或は挿入し、
前記スクリーン処理手段は、前記倍率補正手段により倍率が補正された画像データのスクリーン領域の画素配列が、前記倍率補正手段により補正される前の元の画像データの画素配列としてスクリーン角を維持するように、前記主走査方向の削除或は挿入するラインを変更することを特徴とする画像形成装置。
【請求項２】
前記スクリーン処理手段は、前記主走査方向の画像データのラインの削除或は挿入位置を、前記スクリーン領域の縁に該当する前記主走査方向のラインとすることを特徴とする請求項１に記載の画像形成装置。
【請求項３】
前記倍率データを入力する入力手段を更に有することを特徴とする請求項１又は２に記載の画像形成装置。
【請求項４】
画像データに基づいて画像を形成する画像形成装置の制御方法であって、
前記画像形成装置の倍率補正手段が、倍率データに従って前記画像の副走査方向の倍率を補正するために画像データを補正する倍率補正工程と、
前記画像形成装置のスクリーン処理手段が、前記画像データに基づく画像を形成するスクリーン角を構成するスクリーン領域に含まれる画像データに対してスクリーン処理を行うスクリーン処理工程と、
前記画像形成装置の像形成手段が、前記スクリーン処理工程で処理された画像データに基づいて画像を形成する像形成工程とを有し、
前記倍率補正工程は、前記倍率データに従って主走査方向の画像データのラインを削除或は挿入し、
前記スクリーン処理工程は、前記倍率補正手工程で倍率が補正された画像データのスクリーン領域の画素配列が、前記倍率補正工程で補正される前の元の画像データの画素配列としてスクリーン角を維持するように、前記主走査方向の削除或は挿入するラインを変更することを特徴とする画像形成装置の制御方法。
【手続補正２】
【補正対象書類名】明細書
【補正対象項目名】０００４
【補正方法】変更
【補正の内容】
【０００４】
これに対して、感光ドラムの長手方向であり、レーザビームによりスキャンする方向である主走査方向の倍率を適正に補正する方法が提案されている。これは入力される画像信号を画素単位で画素分割して変調し、１ライン上の１つ以上の補正点を定める。そして、その補正点の前に位置する画素の画素分割変調された画素データの最終ビットを、その補正点に位置する画素の画素分割変調された画素データの先頭ビットとして付加する。そして、その補正点以降に位置する各画素に対して順次画素の画素分割変調された画素データをビット単位で次画素へ移行する方法が提案されている（特許文献１参照）。
【特許文献１】特開２００４−３５１９０８号公報
【手続補正３】
【補正対象書類名】明細書
【補正対象項目名】０００８
【補正方法】変更
【補正の内容】
【０００８】
上記目的を達成するために本発明の一態様に係る画像形成装置は以下のような構成を備える。即ち、
倍率データに従って画像の副走査方向の倍率を補正するために画像データを補正する倍率補正手段と、
前記画像データに基づく画像を形成するスクリーン角を構成するスクリーン領域に含まれる画像データに対してスクリーン処理を行うスクリーン処理手段と、
前記スクリーン処理手段により処理された画像データに基づいて画像を形成する像形成手段とを有し、
前記倍率補正手段は、前記倍率データに従って主走査方向の画像データのラインを削除或は挿入し、
前記スクリーン処理手段は、前記倍率補正手段により倍率が補正された画像データのスクリーン領域の画素配列が、前記倍率補正手段により補正される前の元の画像データの画素配列としてスクリーン角を維持するように、前記主走査方向の削除或は挿入するラインを変更することを特徴とする。
【手続補正４】
【補正対象書類名】明細書
【補正対象項目名】０００９
【補正方法】変更
【補正の内容】
【０００９】
上記目的を達成するために本発明の一態様に係る画像形成装置の制御方法は以下のような工程を備える。即ち、
画像データに基づいて画像を形成する画像形成装置の制御方法であって、
前記画像形成装置の倍率補正手段が、倍率データに従って前記画像の副走査方向の倍率を補正するために画像データを補正する倍率補正工程と、
前記画像形成装置のスクリーン処理手段が、前記画像データに基づく画像を形成するスクリーン角を構成するスクリーン領域に含まれる画像データに対してスクリーン処理を行うスクリーン処理工程と、
前記画像形成装置の像形成手段が、前記スクリーン処理工程で処理された画像データに基づいて画像を形成する像形成工程とを有し、
前記倍率補正工程は、前記倍率データに従って主走査方向の画像データのラインを削除或は挿入し、
前記スクリーン処理工程は、前記倍率補正手工程で倍率が補正された画像データのスクリーン領域の画素配列が、前記倍率補正工程で補正される前の元の画像データの画素配列としてスクリーン角を維持するように、前記主走査方向の削除或は挿入するラインを変更することを特徴とする。
【手続補正５】
【補正対象書類名】明細書
【補正対象項目名】００１０
【補正方法】変更
【補正の内容】
【００１０】
本発明によれば、副走査方向の倍率データに基づき主走査ラインのデータを削除または追加することにより画像の縮小或は拡大を行うと共に、スクリーン領域に対して主走査ラインのデータを削除又は挿入するラインを変更する。これにより、画像データの不連続性により発生する、形成された画像におけるスジ等の発生を抑えることができる。
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
パラメータを記憶する第１の記憶手段と、
前記第１の記憶手段に記憶されているパラメータを再設定する設定手段と、
第１の処理と前記第１の処理の後に行われる第２の処理とを含む割り込み処理の指示が前記パラメータの再設定中に発生した場合、前記パラメータの再設定処理を中断して前記第１の処理を実行する第１の処理手段と、
前記第２の処理を実行する前に、中断した前記パラメータの再設定処理を再開させる再開手段と、
再開した前記パラメータの再設定処理において前記パラメータが再設定された後、前記再設定されたパラメータを用いて前記第２の処理を実行する第２の処理手段と、
を備えたことを特徴とするデータ処理装置。
【請求項２】
前記パラメータの再設定処理が中断される際に設定していた情報を記憶させる第２の記憶手段をさらに備え、
前記再開手段は、前記第２の記憶手段により記憶された情報に基づいて前記パラメータの再設定処理を再開する
ことを特徴とする請求項１に記載のデータ処理装置。
【請求項３】
前記第２の処理を実行する前に、中断した前記パラメータの再設定処理を再開するか否かを選択させる第１の選択手段をさらに備え、
前記再開手段は、前記第１の選択手段により前記パラメータの再設定処理を再開することが選択された場合に、中断した前記パラメータの再設定処理を再開する
ことを特徴とする請求項１又は２に記載のデータ処理装置。
【請求項４】
前記第１の選択手段により前記パラメータの再設定処理を再開しないことが選択された場合に、前記第２の処理手段は、前記パラメータの再設定処理の前に前記第１の記憶手段に既に記憶されているパラメータを用いて前記第２の処理を実行する
ことを特徴とする請求項３に記載のデータ処理装置。
【請求項５】
前記第２の処理を実行後、中断した前記パラメータの再設定処理を再開するか否かを選択させる第２の選択手段をさらに備え、
前記再開手段は、前記第２の選択手段により前記パラメータの再設定処理を再開することが選択された場合に、中断した前記パラメータの再設定処理を再開する
ことを特徴とする請求項４に記載のデータ処理装置。
【請求項６】
被写体を撮像する撮像手段をさらに備え、
前記第１の処理は前記撮像手段による撮像処理を含む
ことを特徴とする請求項１から５のいずれか１項に記載のデータ処理装置。
【請求項７】
前記第２の処理は、前記撮像処理により得られたデータを外部装置に転送する処理を含む
ことを特徴とする請求項６に記載のデータ処理装置。
【請求項８】
前記第２の処理は、前記撮像処理により得られたデータを暗号化する処理を含む
ことを特徴とする請求項６に記載のデータ処理装置。
【請求項９】
前記第２の処理は、前記撮像処理により得られたデータに対する色処理を含む
ことを特徴とする請求項６に記載のデータ処理装置。
【請求項１０】
前記第２の処理は、前記撮像処理により得られたデータに対する圧縮処理を含む
ことを特徴とする請求項６に記載のデータ処理装置。
【請求項１１】
外部装置からのデータ要求を受信する受信手段をさらに備え、
前記第１の処理は、受信した前記データ要求に応答して前記外部装置にデータを転送する処理を含む
ことを特徴とする請求項１から５のいずれか１項に記載のデータ処理装置。
【請求項１２】
前記第２の処理は、前記外部装置に転送するデータを暗号化する処理を含む
ことを特徴とする請求項１１に記載のデータ処理装置。
【請求項１３】
第１の記憶手段が、パラメータを記憶する第１の記憶ステップと、
設定手段が、前記第１の記憶手段に記憶されているパラメータを再設定する設定ステップと、
第１の処理手段が、第１の処理と前記第１の処理の後に行われる第２の処理とを含む割り込み処理の指示が前記パラメータの再設定中に発生した場合、前記パラメータの再設定処理を中断して前記第１の処理を実行する第１の処理ステップと、
再開手段が、前記第２の処理を実行する前に、中断した前記パラメータの再設定処理を再開させる再開ステップと、
第２の処理手段が、再開した前記パラメータの再設定処理において前記パラメータが再設定された後、前記再設定されたパラメータを用いて前記第２の処理を実行する第２の処理ステップと、
を備えたことを特徴とするデータ処理装置の制御方法。
【請求項１４】
コンピュータを、請求項１乃至１２のうちいずれか１項に記載のデータ処理装置が有する各手段として機能させるためのプログラム。
【手続補正２】
【補正対象書類名】明細書
【補正対象項目名】発明の名称
【補正方法】変更
【補正の内容】
【発明の名称】データ処理装置、データ処理装置の制御方法、及びプログラム
【手続補正３】
【補正対象書類名】明細書
【補正対象項目名】０００１
【補正方法】変更
【補正の内容】
【０００１】
本発明は、データ処理装置、データ処理装置の制御方法、及びプログラムに関する。
【手続補正４】
【補正対象書類名】明細書
【補正対象項目名】０００９
【補正方法】変更
【補正の内容】
【０００９】
本発明の第１側面に係るデータ処理装置は、パラメータを記憶する第１の記憶手段と、前記第１の記憶手段に記憶されているパラメータを再設定する設定手段と、第１の処理と前記第１の処理の後に行われる第２の処理とを含む割り込み処理の指示が前記パラメータの再設定中に発生した場合、前記パラメータの再設定処理を中断して前記第１の処理を実行する第１の処理手段と、前記第２の処理を実行する前に、中断した前記パラメータの再設定処理を再開させる再開手段と、再開した前記パラメータの再設定処理において前記パラメータが再設定された後、前記再設定されたパラメータを用いて前記第２の処理を実行する第２の処理手段と、を備えたことを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
モータ制御信号を出力するモータ制御信号出力手段と、前記モータ制御信号に基づいてモータに三相の駆動電力を供給する駆動回路とを有し、前記モータ制御信号出力手段は、電流指令値としてｄ／ｑ座標系のｄ軸電流指令値及びｑ軸電流指令値を演算する電流指令値演算手段と、前記ｄ軸電流指令値及びｑ軸電流指令値に基づくｄ／ｑ座標系の電流フィードバック制御の実行により前記モータ制御信号を生成するモータ制御信号生成手段と、前記モータの各相に生じた通電不良を検出可能な異常検出手段とを備え、前記通電不良の発生が検出された場合には、その通電不良発生相以外の二相を通電相として前記モータ制御信号の出力を実行するモータ制御装置において、
前記モータの各相電流値には、その通電可能な最大値が設定されるものであって、
前記電流指令値演算手段は、前記通電不良の発生時には、以下の各式、
【数１】
2008301658.tif 000001
（但し、θ：回転角、Ｉd*：ｄ軸電流指令値、Ｉq*：q軸電流指令値）
に基づき前記通電不良発生相に応じた所定の回転角を漸近線として正接曲線状に変化するｄ軸電流指令値を演算するとともに、前記設定された最大値に基づいて前記相電流値を制限すべき回転角度範囲内にある場合には、前記各通電相の相電流値が前記最大値で一定となるように、以下の各式、
【数２】
2008301658.tif 000002
2008301658.tif 000003
2008301658.tif 000004
2008301658.tif 000005
2008301658.tif 000006
（但し、Ｉd*：ｄ軸電流指令値、Ｉq*：ｑ軸電流指令値、Ｉx_max：通電可能な電流の最大値）
に基づき前記ｄ軸電流指令値及びｑ軸電流指令値を演算すること、
を特徴とするモータ制御装置。
【請求項２】
請求項１に記載のモータ制御装置を備えた電動パワーステアリング装置。
【手続補正２】
【補正対象書類名】明細書
【補正対象項目名】０００８
【補正方法】変更
【補正の内容】
【０００８】
上記問題点を解決するために、請求項１に記載の発明は、モータ制御信号を出力するモータ制御信号出力手段と、前記モータ制御信号に基づいてモータに三相の駆動電力を供給する駆動回路とを有し、前記モータ制御信号出力手段は、電流指令値としてｄ／ｑ座標系のｄ軸電流指令値及びｑ軸電流指令値を演算する電流指令値演算手段と、前記ｄ軸電流指令値及びｑ軸電流指令値に基づくｄ／ｑ座標系の電流フィードバック制御の実行により前記モータ制御信号を生成するモータ制御信号生成手段と、前記モータの各相に生じた通電不良を検出可能な異常検出手段とを備え、前記通電不良の発生が検出された場合には、その通電不良発生相以外の二相を通電相として前記モータ制御信号の出力を実行するモータ制御装置において、前記モータの各相電流値には、その通電可能な最大値が設定されるものであって、前記電流指令値演算手段は、前記通電不良の発生時には、以下の各式、
【数１】
2008301658.tif 000007
（但し、θ：回転角、Ｉd*：ｄ軸電流指令値、Ｉq*：q軸電流指令値）
に基づき前記通電不良発生相に応じた所定の回転角を漸近線として正接曲線状に変化するｄ軸電流指令値を演算するとともに、前記設定された最大値に基づいて前記相電流値を制限すべき回転角度範囲内にある場合には、前記各通電相の相電流値が前記最大値で一定となるように、以下の各式、
【数２】
2008301658.tif 000008
2008301658.tif 000009
2008301658.tif 000010
2008301658.tif 000011
2008301658.tif 000012
（但し、Ｉd*：ｄ軸電流指令値、Ｉq*：ｑ軸電流指令値、Ｉx_max：通電可能な電流の最大値）
に基づき前記ｄ軸電流指令値及びｑ軸電流指令値を演算すること、を要旨とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
上記構成によれば、漸近線に対応する所定の回転角近傍における各相の相電流値を制限すべき回転角度範囲内（電流制限範囲）を除いて、要求トルク（ｑ軸電流指令値）に対応したモータ電流（ｑ軸電流値）を発生させることができる。その結果、通電不良相発生時においても、トルクリップルの発生を抑制しつつ、そのモータ制御を継続することができるようになる。そして、電流制限範囲においても、通電相の各相電流値をその通電可能な最大値（上限又は下限）で一定とすることにより、最大限のモータ出力性能を引き出すことができるようになる。また、特に、ｄ／ｑ座標系の電流偏差に基づき制御系の異常検出を行うものにおいては、予め、ｄ／ｑ座標系の各電流値が追従可能なｄ軸及びｑ軸電流指令値を演算することで、当該電流制限範囲においても、ｄ／ｑ座標系の電流偏差を基礎とした異常検出判定の信頼性を確保することができる。その結果、二相駆動時においても、より高精度に制御系の異常を検出することができるようになる。
【手続補正７】
【補正対象書類名】明細書
【補正対象項目名】００１３
【補正方法】変更
【補正の内容】
【００１３】
請求項２に記載の発明は、請求項１に記載のモータ制御装置を備えた電動パワーステアリング装置であることを要旨とする。
上記構成によれば、通電不良相の発生時においても、良好な操舵フィーリングを維持したまま、アシスト力の付与を継続することができる。また、二相駆動時においても、高精度の異常検出ができるようになる。
【手続補正書】
【提出日】平成22年5月26日(2010.5.26)
【手続補正１】
【補正対象書類名】特許請求の範囲
【補正対象項目名】請求項１
【補正方法】変更
【補正の内容】
【請求項１】
ステッピングモータの励磁相を切り換える駆動信号にもとづいて前記ステッピングモータを駆動するステッピングモータ駆動手段と、
前記ステッピングモータのモータ軸の回転角を検出する回転角検出手段と、
前記ステッピングモータの駆動開始からの前記駆動信号の出力数を積算した積算値とステップ角の積から導出される回転角度指令値と、前記ステッピングモータの駆動開始からの前記回転角検出手段の検出信号より導出されるモータ軸の回転角度との偏差を演算する偏差演算手段と、
前記ステッピングモータの加速過程では前記偏差演算手段で演算した前記偏差が第１の規定値に達する毎に前記駆動信号を前記ステッピングモータ駆動手段に出力し、前記ステッピングモータの定速過程では所定の周期で前記駆動信号を前記ステッピングモータ駆動手段に出力する制御手段と、
を備えたことを特徴とするステッピングモータ駆動装置。
【手続補正２】
【補正対象書類名】特許請求の範囲
【補正対象項目名】請求項３
【補正方法】変更
【補正の内容】
【請求項３】
請求項１または２に記載のステッピングモータ駆動装置において、
前記ステッピングモータ駆動手段は、前記駆動信号および前記励磁相に供給する電流値を設定する電流設定信号にもとづいて前記ステッピングモータを駆動し、
前記制御手段は、前記定速過程で、前記偏差が規定範囲内に入るように、前記電流設定信号を変更することを特徴とするステッピングモータ駆動装置。
【手続補正３】
【補正対象書類名】特許請求の範囲
【補正対象項目名】請求項４
【補正方法】変更
【補正の内容】
【請求項４】
請求項１ないし３のいずれか１項に記載のステッピングモータ駆動装置において、
前記制御手段は、前記ステッピングモータの減速過程で、前記偏差が第３の規定値に到達したとき、および前記モータ軸の回転速度が第４の規定値以下となったときに次の駆動信号を出力することを特徴とするステッピングモータ駆動装置。
【手続補正４】
【補正対象書類名】特許請求の範囲
【補正対象項目名】請求項５
【補正方法】変更
【補正の内容】
【請求項５】
請求項１ないし４のいずれか１項に記載のステッピングモータ駆動装置において、
前記制御手段は、前記回転角度指令値が、第１の規定回転角度に一致したときに前記定速過程から前記ステッピングモータの減速過程に移行し、第２の規定回転角度に一致したときに前記ステッピングモータの駆動を停止するように前記ステッピングモータ駆動手段を制御することを特徴とするステッピングモータ駆動装置。
【手続補正５】
【補正対象書類名】明細書
【補正対象項目名】０００７
【補正方法】変更
【補正の内容】
【０００７】
（１）ステッピングモータの励磁相を切り換える駆動信号にもとづいて前記ステッピングモータを駆動するステッピングモータ駆動手段と、
前記ステッピングモータのモータ軸の回転角を検出する回転角検出手段と、
前記ステッピングモータの駆動開始からの前記駆動信号の出力数を積算した積算値とステップ角の積から導出される回転角度指令値と、前記ステッピングモータの駆動開始からの前記回転角検出手段の検出信号より導出されるモータ軸の回転角度との偏差を演算する偏差演算手段と、
前記ステッピングモータの加速過程では前記偏差演算手段で演算した前記偏差が第１の規定値に達する毎に前記駆動信号を前記ステッピングモータ駆動手段に出力し、前記ステッピングモータの定速過程では所定の周期で前記駆動信号を前記ステッピングモータ駆動手段に出力する制御手段と、
を備えたことを特徴とするステッピングモータ駆動装置。
【手続補正６】
【補正対象書類名】図面
【補正対象項目名】図５
【補正方法】変更
【補正の内容】
【図５】
2008301625.tif 000001
【手続補正７】
【補正対象書類名】図面
【補正対象項目名】図９
【補正方法】変更
【補正の内容】
【図９】
2008301625.tif 000002
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
文書画像を入力し、当該文書画像中の文字列の行間隔から、埋め込まれた透かし情報を抽出する画像処理装置であって、
文書画像を画像データとして入力する入力手段と、
入力した前記画像データから第１の方向に対して縮小された第１の縮小画像データを生成する画像縮小手段と、
前記第１の縮小画像データにおける文字列存在領域の端点を検出する検出手段と、
前記端点を用いた四角形の対向する２辺上に走査の始点と終点を設定する設定手段と、
前記設定手段で設定した始点と終点を結ぶ線分に沿って、前記縮小画像データを走査し、文字列の行間隔を検出し、透かし情報を抽出する情報抽出手段と、
を備えることを特徴とする画像処理装置。
【請求項２】
前記画像縮小手段は、更に、前記画像データから前記第１の方向と直交した第２の方向に対して縮小した第２の縮小画像データを生成し、
前記情報抽出手段で有効な文字列の行間隔が検出されなかった場合、
前記検出手段は、前記第２の縮小画像データにおける文字列存在領域の端点を検出し、
前記設定手段は、該端点を用いた四角形の対向する２辺上に走査の始点と終点を設定し、
前記抽出手段は、前記設定手段で設定した始点と終点を結ぶ線分に沿って、前記第２の縮小画像データを走査し、文字列の行間隔を検出し、透かし情報を抽出する
ことを特徴とする請求項１に記載の画像処理装置。
【請求項３】
前記設定手段は、前記端点を用いた四角形の対向する２辺の中点を前記走査の始点および終点として設定することを特徴とする請求項１または請求項２に記載の画像処理装置。
【請求項４】
前記画像縮小手段は、更に、前記第１の方向及び前記第２の方向にそれぞれ予め決められた縮小率で縮小された第３の縮小画像データを生成し、
前記検出手段は、前記第３の縮小画像データにおける文字列存在領域の端点を検出し、前記画像縮小手段における縮小率と、該端点の座標とを用いて、前記第１の縮小画像データにおける文字列存在領域の端点を検出することを特徴とする請求項１乃至３の何れか１項に記載の画像処理装置。
【請求項５】
文書画像を入力し、当該文書画像中の文字列の行間隔から、埋め込まれた透かし情報を抽出する画像処理装置の制御方法であって、
文書画像を画像データとして入力する入力工程と、
入力した前記画像データから第１の方向に対して縮小された第１の縮小画像データを生成する画像縮小工程と、
前記第１の縮小画像データにおける文字列存在領域の端点を検出する検出工程と、
前記端点を用いた四角形の対向する２辺上に走査の始点と終点を設定する設定工程と、
前記設定工程で設定した始点と終点を結ぶ線分に沿って、前記縮小画像データを走査し、文字列の行間隔を検出し、透かし情報を抽出する情報抽出工程と、
を備えることを特徴とする画像処理装置の制御方法。
【請求項６】
更に、入力された前記画像データから前記第１の方向と直交した第２の方向に対して縮小した第２の縮小画像データを生成する工程と、
前記情報抽出工程で有効な文字列の行間隔が検出されなかった場合、前記第２の縮小画像データにおける文字列存在領域の端点を検出する工程と、
該端点を用いた四角形の対向する２辺上に走査の始点と終点を設定する工程と、
該設定された始点と終点を結ぶ線分に沿って、前記第２の縮小画像データを走査し、文字列の行間隔を検出し、透かし情報を抽出する工程と、
を備えることを特徴とする請求項５に記載の画像処理装置の制御方法。
【請求項７】
請求項５または請求項６に記載の画像処理装置の制御方法の各工程をコンピュータに実行させるためのプログラム。
【手続補正書】
【提出日】平成22年1月8日(2010.1.8)
【手続補正１】
【補正対象書類名】特許請求の範囲
【補正対象項目名】請求項４
【補正方法】変更
【補正の内容】
【請求項４】
更に、
前記情報抽出手段で有効な文字列行間隔が検出されなかった場合、前記画像データから少なくとも前記第２の方向の画素数がＨ１（１＜Ｈ１＜Ｈ０）に縮小された第２の縮小画像データを生成する第２の画像縮小手段と、
前記第２の画像縮小手段で生成された前記第２の縮小画像データを前記第１の方向に走査して、前記画像データにおける文字列幅を検出する第２の検出手段と、
前記第２の検出手段により検出された文字列幅が前記許容範囲内にある場合には、前記第２の縮小画像データを第２の透かし抽出対象画像データとして出力し、前記文字列幅が前記許容範囲外にある場合には、前記文字列幅に基づいて決定された縮小率に基づいて前記画像データを前記第２の画像縮小手段により縮小し得られたデータを第２の透かし抽出対象画像データとして出力する第２の縮小画像補正手段と、
前記第２の縮小画像補正手段から出力された前記第２の透かし抽出対象画像データを前記第１の方向に走査し、各文字列行間隔を検出し、透かし情報を抽出する第２の透かし情報抽出手段と、
を備えることを特徴とする請求項３に記載の画像処理装置。
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
文書画像を入力し、当該文書画像中の文字列の行間隔から、埋め込まれた透かし情報を抽出する画像処理装置であって、
文書画像を画像データとして入力する入力手段と、
入力した文書画像から第１の方向に対して縮小された縮小画像データを生成する画像縮小手段と、
該画像縮小手段で生成された縮小画像データを前記第１の方向と予め定められた関係にある第２の方向に走査して、有意画素で構成される領域の各々の高さのヒストグラムを生成し、該ヒストグラムに基づいて前記縮小画像データにおいて有効な領域として見なす領域の高さの範囲を決定する範囲決定手段と、
前記縮小画像データにおいて少なくとも前記範囲外の高さを有する有意画素で構成される領域はノイズ成分と見なし、当該領域を非有意画素として設定する設定手段と、
該設定手段でノイズ成分が非有意画素として設定された後の縮小画像を前記第２の方向に走査し、当該第２の方向に連続する非有意画素の領域の長さを行間隔として検出する検出手段と、
該検出手段で検出した文字列の行間隔に基づき、前記文書画像に埋め込まれた透かし情報を抽出する抽出手段と
を備えることを特徴とする画像処理装置。
【請求項２】
前記範囲決定手段は、
前記ヒストグラムにおける最頻値をとる高さ、および、前記ヒストグラムの全体の度数に対する予め指定された割合に基づいて前記範囲の上限の閾値および下限の閾値を導出する閾値導出手段を更に備えることを特徴とする請求項１に記載の画像処理装置。
【請求項３】
前記画像縮小手段は、更に、前記画像データから前記第１の方向と直交した方向に対して縮小した第２の縮小画像データを生成し、
前記検出手段で有効な行間隔が検出されなかった場合、
前記範囲決定手段は、当該第２の縮小画像データを前記第１の方向に走査して、有意画素で構成される領域の各々の高さのヒストグラムを生成し、該ヒストグラムに基づいて前記第２の縮小画像データにおいて有効な領域として見なす領域の高さの範囲を決定し、
前記設定手段は、前記第２の縮小画像データにおいて少なくとも当該決定された範囲外の高さを有する有意画素で構成される領域はノイズ成分と見なし、当該領域を非有意画素として設定し、
前記検出手段は、当該ノイズ成分が非有意画素として設定された後の第２の縮小画像データを前記第１の方向に走査し、当該第１の方向に連続する非有意画素の領域の長さを行間隔として検出し、
前記抽出手段は、当該検出された文字列の行間隔に基づき、前記文書画像に埋め込まれた透かし情報を抽出する
ことを特徴とする請求項１または２に記載の画像処理装置。
【請求項４】
文書画像を入力し、当該文書画像中の文字列の行間隔から、埋め込まれた透かし情報を抽出する画像処理装置の制御方法であって、
文書画像を画像データとして入力する入力工程と、
入力した文書画像から第１の方向に対して縮小された縮小画像データを生成する画像縮小工程と、
該画像縮小工程で生成された縮小画像データを前記第１の方向と予め定められた関係にある第２の方向に走査して、有意画素で構成される領域の各々の高さのヒストグラムを生成し、該ヒストグラムに基づいて前記縮小画像データにおいて有効な領域として見なす領域の高さの範囲を決定する範囲決定工程と、
前記縮小画像データにおいて少なくとも前記範囲外の高さを有する有意画素で構成される領域はノイズ成分と見なし、当該領域を非有意画素として設定する設定工程と、
該設定工程でノイズ成分が非有意画素として設定された後の縮小画像を前記第２の方向に走査し、当該第２の方向に連続する非有意画素の領域の長さを行間隔として検出する検出工程と、
該検出工程で検出した文字列の行間隔に基づき、前記文書画像に埋め込まれた透かし情報を抽出する抽出工程と、
を備えることを特徴とする制御方法。
【請求項５】
更に、前記画像データから前記第１の方向と直交した方向に対して縮小した第２の縮小画像データを生成する工程と、
前記検出工程で有効な行間隔が検出されなかった場合、前記第２の縮小画像データを前記第１の方向に走査して、有意画素で構成される領域の各々の高さのヒストグラムを生成し、該ヒストグラムに基づいて前記第２の縮小画像データにおいて有効な領域として見なす領域の高さの範囲を決定する工程と、
前記第２の縮小画像データにおいて少なくとも当該決定された範囲外の高さを有する有意画素で構成される領域はノイズ成分と見なし、当該領域を非有意画素として設定する工程と、
当該ノイズ成分が非有意画素として設定された後の第２の縮小画像データを前記第１の方向に走査し、当該第１の方向に連続する非有意画素の領域の長さを行間隔として検出する工程と、
前記検出された文字列の行間隔に基づき、前記文書画像に埋め込まれた透かし情報を抽出する工程と、
を備えることを特徴とする請求項４に記載の制御方法。
【請求項６】
請求項４または請求項５に記載の画像処理装置の制御方法の各工程をコンピュータに実行させるためのプログラム。
【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
光電変換素子を用いて撮像した撮像画像を、フレーム単位で出力する撮像装置であって、
静止画撮像用に設定されたシャッター速度の逆数を、前記光電変換素子の撮像フレームレートとして設定する設定手段と、
前記設定手段により設定された前記撮像フレームレートで撮像するように前記光電変換素子を制御する制御手段と、
を有することを特徴とする撮像装置。
【請求項２】
前記光電変換素子に設定可能な撮像フレームレートの範囲が予め定められており、
前記設定手段は、前記シャッター速度の逆数が前記設定可能な撮像フレームレートの下限値を下回る場合には前記範囲の下限値を、前記シャッター速度の逆数が前記設定可能な撮像フレームレートの上限値を上回る場合には前記範囲の上限値を、前記撮像フレームレートとして設定することを特徴とする請求項１記載の撮像装置。
【請求項３】
前記撮像フレームレートが予め定められた動画再生のフレームレートよりも高い場合、前記撮像画像の複数フレームから前記動画再生に用いる１フレームを生成する生成手段をさらに有することを特徴とする請求項１又は請求項２に記載の撮像装置。
【請求項４】
光電変換素子を用いて撮像した撮像画像を、フレーム単位で出力する撮像装置の制御方法であって、
設定手段が、静止画撮像用に設定されたシャッター速度の逆数を、前記光電変換素子の撮像フレームレートとして設定する設定ステップと、
制御手段が、前記設定ステップで設定された前記撮像フレームレートで撮像するように前記光電変換素子を制御する制御ステップと、
を有することを特徴とする撮像装置の制御方法。
【手続補正２】
【補正対象書類名】明細書
【補正対象項目名】０００９
【補正方法】変更
【補正の内容】
【０００９】
上述の目的は、光電変換素子を用いて撮像した撮像画像を、フレーム単位で出力する撮像装置であって、静止画撮像用に設定されたシャッター速度の逆数を、光電変換素子の撮像フレームレートとして設定する設定手段と、設定手段により設定された撮像フレームレートで撮像するように前記光電変換素子を制御する制御手段と、を有することを特徴とする撮像装置によって達成される。
【手続補正３】
【補正対象書類名】明細書
【補正対象項目名】００１０
【補正方法】変更
【補正の内容】
【００１０】
また、上述の目的は、光電変換素子を用いて撮像した撮像画像を、フレーム単位で出力する撮像装置の制御方法であって、設定手段が、静止画撮像用に設定されたシャッター速度の逆数を、光電変換素子の撮像フレームレートとして設定する設定ステップと、制御手段が、設定ステップで設定された撮像フレームレートで撮像するように前記光電変換素子を制御する制御ステップと、を有することを特徴とする撮像装置の制御方法によっても達成される。
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
文書画像を入力し、当該文書画像中の文字列の行間隔から、埋め込まれた透かし情報を抽出する画像処理装置であって、
文書画像を画像データとして入力する入力手段と、
入力した前記画像データから第１の方向に対して縮小された縮小画像データを生成する画像縮小手段と、
該画像縮小手段で生成された縮小画像データを、ローパスフィルタを用いて平滑化するフィルタ手段と、
該フィルタ手段による平滑化後の縮小画像データを前記第１の方向と予め定められた関係にある第２の方向に走査し、当該第２の方向に連続する非有意画素の領域の長さを行間隔として検出する検出手段と、
該検出手段で検出した文字列の行間隔に基づき、前記文書画像に埋め込まれた透かし情報を抽出する抽出手段と
を備えることを特徴とする画像処理装置。
【請求項２】
前記フィルタ手段は、さらに、
前記ローパスフィルタで平滑化された縮小画像データに対し２値化処理を行うことを特徴とする請求項１に記載の画像処理装置。
【請求項３】
前記画像縮小手段は、更に、前記画像データから前記第１の方向と直交した方向に対して縮小した第２の縮小画像データを生成し、
前記検出手段で有効な行間隔が検出されなかった場合、
前記フィルタ手段は、該第２の縮小画像データを、ローパスフィルタを用いて平滑化し、
前記検出手段は、該平滑化後の第２の縮小画像データを前記第１の方向に走査し、当該第１の方向に連続する非有意画素の領域の長さを行間隔として検出し、
前記抽出手段は、該検出された文字列の行間隔に基づき、前記文書画像に埋め込まれた透かし情報を抽出することを特徴とする請求項１または２に記載の画像処理装置。
【請求項４】
文書画像を入力し、当該文書画像中の文字列の行間隔から、埋め込まれた透かし情報を抽出する画像処理装置の制御方法であって、
文書画像を画像データとして入力する入力工程と、
入力した前記画像データから第１の方向に対して縮小された縮小画像データを生成する画像縮小工程と、
該画像縮小工程で生成された縮小画像データを、ローパスフィルタを用いて平滑化するフィルタ工程と、
該フィルタ工程による平滑化後の縮小画像データを前記第１の方向と予め定められた関係にある第２の方向に走査し、当該第２の方向に連続する非有意画素の領域の長さを行間隔として検出する検出工程と、
該検出工程で検出した文字列の行間隔に基づき、前記文書画像に埋め込まれた透かし情報を抽出する抽出工程と
を備えることを特徴とする制御方法。
【請求項５】
更に、
前記画像データから前記第１の方向と直交した方向に対して縮小した第２の縮小画像データを生成する工程と、
前記検出工程で有効な行間隔が検出されなかった場合、該第２の縮小画像データを、ローパスフィルタを用いて平滑化する工程と、
該平滑化後の第２の縮小画像データを前記第１の方向に走査し、当該第１の方向に連続する非有意画素の領域の長さを行間隔として検出する工程と、
該検出された文字列の行間隔に基づき、前記文書画像に埋め込まれた透かし情報を抽出する工程と、
を備えることを特徴とする請求項４に記載の制御方法。
【請求項６】
請求項４または請求項５に記載の画像処理装置の制御方法の各工程をコンピュータに実行させるためのプログラム。
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
文書画像を入力し、当該文書画像中の文字列の行間隔に基づき前記文書画像に埋め込まれた透かし情報を抽出する画像処理装置であって、
文書画像を画像データとして入力する入力手段と、
入力した画像データから第１の方向に対して縮小された縮小画像データを生成する画像縮小手段と、
該画像縮小手段で生成された縮小画像データを、前記第１の方向と予め定められた関係にある第２の方向に走査し、前記第２の方向の空白領域の長さを行間距離情報として検出する検出手段と、
該検出手段で検出した行間距離情報に基づき、前記文書画像に埋め込まれた透かし情報を抽出する抽出手段と、
を備えることを特徴とする画像処理装置。
【請求項２】
前記画像縮小手段は、更に、前記画像データから前記第１の方向と直交した方向に対して縮小した第２の縮小画像データを生成し、
前記検出手段で有効な行間距離情報が検出されなかった場合、
前記検出手段は、前記第２の縮小画像データを、前記第１の方向に走査し、前記第１の方向の空白領域の長さを第２の行間距離情報として検出し、
前記抽出手段は、前記第２の行間距離情報に基づき、前記文書画像に埋め込まれた透かし情報を抽出する
ことを特徴とする請求項１に記載の画像処理装置。
【請求項３】
更に、前記入力手段で入力する画像データの解像度を検出する手段と、
前記検出された前記解像度に基づき、前記画像縮小手段で縮小する方向の縮小率を決定する手段と、
を備えることを特徴とする請求項１または２に記載の画像処理装置。
【請求項４】
前記画像縮小手段は、前記第１の方向に対しては縮小し、前記第２の方向に対しては縮小せずに、前記縮小画像データを生成することを特徴とする請求項１に記載の画像処理装置。
【請求項５】
前記画像縮小手段は、前記第１の方向と直交した方向に対しては縮小し、前記第１の方向に対しては縮小せずに、前記第２の縮小画像データを生成することを特徴とする請求項２に記載の画像処理装置。
【請求項６】
前記検出手段は、前記縮小画像データを、前記第２の方向に複数箇所走査し得られた複数の空白領域の長さに基づいて、前記行間距離情報を検出することを特徴とする請求項１乃至５の何れか１項に記載の画像処理装置。
【請求項７】
前記画像縮小手段は、前記縮小により中間調となる画素を有意画素に変換することを特徴とする請求項１乃至６の何れか１項に記載の画像処理装置。
【請求項８】
文書画像を入力し、当該文書画像中の文字列の行間隔に基づき前記文書画像に埋め込まれた透かし情報を抽出する画像処理装置の制御方法であって、
文書画像を画像データとして入力する入力工程と、
入力した画像データから第１の方向に対して縮小された縮小画像データを生成する画像縮小工程と、
該画像縮小工程で生成された縮小画像データを、前記第１の方向と予め定められた関係にある第２の方向に走査し、前記第２の方向の空白領域の長さを行間距離情報として検出する検出工程と、
該検出工程で検出した行間距離情報に基づき、前記文書画像に埋め込まれた透かし情報を抽出する抽出工程と、
を備えることを特徴とする制御方法。
【請求項９】
更に、前記画像データから前記第１の方向と直交した方向に対して縮小した第２の縮小画像データを生成する工程と、
前記検出工程で有効な行間距離情報が検出されなかった場合、前記第２の縮小画像データを、前記第１の方向に走査し、前記第１の方向の空白領域の長さを第２の行間距離情報として検出する工程と、
前記第２の行間距離情報に基づき、前記文書画像に埋め込まれた透かし情報を抽出する工程と、
を備えることを特徴とする請求項８に記載の制御方法。
【請求項１０】
請求項８または請求項９に記載の画像処理装置の制御方法の各工程をコンピュータに実行させるためのプログラム。
【手続補正書】
【提出日】平成22年3月18日(2010.3.18)
【手続補正１】
【補正対象書類名】明細書
【補正対象項目名】００２５
【補正方法】変更
【補正の内容】
【００２５】
図１の通信システムは、制御機器としての携帯電話機１−１およびノートブック型パーソナルコンピュータ１−２、サービスサーバ２−１，２−２、DAPサーバ３、被制御機器としてのDVR(Digital Video Recorder)４から構成される。
【手続補正２】
【補正対象書類名】明細書
【補正対象項目名】００２６
【補正方法】変更
【補正の内容】
【００２６】
それぞれの機器はネットワークに接続されており、図１の矢印で示されるように、制御機器１−１，１−２とサービスサーバ２−１，２−２、サービスサーバ２−１，２−２とDAPサーバ３、サービスサーバ２−１，２−２と被制御機器４、DAP(Direct Access Platform)サーバ３と被制御機器４の間で、それぞれの機器が相互に通信を行うことができるようになされている。
【手続補正３】
【補正対象書類名】明細書
【補正対象項目名】０１６７
【補正方法】変更
【補正の内容】
【０１６７】
ステップＳ１０８において、SOAPサーバ３−１は、サービスサーバ２−１から送信されてきたサービスURNを含む録画予約の開始要求を、DVR４とXMPPサーバ３−２の間で確立されているセッションを介して、被制御機器であるDVR４に送信する。DVR４とXMPPサーバ３−２との間で確立されているセッションを介して録画予約の開始要求を送信するときに、XMPPセッションIDは用いられる。
【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
通信路を介して他の映像処理装置と通信を行う通信部と、
リモコンのキー操作に応じた操作信号を受信するリモコン通信部と、
映像を表示する表示部と、
前記リモコンのメニューキー押下に対応する操作信号の受信に応じて自装置のメニュー画面を前記表示部に表示する第１制御モードと、前記メニューキー押下に対応する操作信号の受信に応じて、メニュー画面を出力させる制御信号を前記他の映像処理装置に送信すると共に、前記他の映像処理装置から受信する映像信号の映像を前記表示部に表示する第２制御モードと、のいずれか一方を選択して処理を行う制御部と
を具備することを特徴とする映像処理装置。
【請求項２】
通信路を介して他の映像処理装置と通信を行う通信部と、
リモコンのキー操作に応じた操作信号を受信するリモコン通信部と、
前記リモコンのメニューキー押下に対応する操作信号の受信に応じて前記通信部から自装置のメニュー画面の映像信号を出力する第１制御モードと、前記メニューキー押下に対応する操作信号の受信に応じて、前記他の映像処理装置のメニュー画面を表示させる制御信号を前記他の映像処理装置に送信する第２制御モードと、のいずれか一方を選択して処理を行う制御部と
を具備することを特徴とする映像処理装置。
【請求項３】
前記制御部は、前記リモコン通信部で受信したメニューキー押下に対応する操作信号の受信回数に応じて、前記第１制御モード及び前記第２制御モードのいずれか一方を選択すること
を特徴とする請求項１又は請求項２記載の映像処理装置。
【請求項４】
前記通信部は、制御信号を伝送する双方向の通信と、映像信号を伝送する一方方向の通信とを同一ケーブルで行う通信規格であることを特徴とする請求項１又は請求項２記載の映像処理装置。
【請求項５】
前記通信部は、ＨＤＭＩ規格による通信を行なうことを特徴とする請求項１又は請求項２記載の映像処理装置。
【請求項６】
前記リモコンのメニューキー押下に対応する操作信号を受信し、
前記リモコンのメニューキー押下に対応する操作信号の受信に応じて自装置のメニュー画面を前記表示部に表示する第１制御モードと、前記メニューキー押下に対応する操作信号の受信に応じて、メニュー画面を出力させる制御信号を前記他の映像処理装置に送信すると共に、前記他の映像処理装置から受信する映像信号の映像を前記表示部に表示する第２制御モードと、のいずれか一方を選択して処理を行う、
ことを特徴とする映像処理方法。
【請求項７】
前記メニューキー押下に対応する操作信号の受信回数に応じて、前記第１制御モード及び前記第２制御モードのいずれか一方を選択すること
を特徴とする請求項６記載の映像処理装置。
【手続補正２】
【補正対象書類名】明細書
【補正対象項目名】０００６
【補正方法】変更
【補正の内容】
【０００６】
課題を解決するための一実施形態は、通信路を介して他の映像処理装置と通信を行う通信部と、リモコンのキー操作に応じた操作信号を受信するリモコン通信部と、映像を表示する表示部と、前記リモコンのメニューキー押下に対応する操作信号の受信に応じて自装置のメニュー画面を前記表示部に表示する第１制御モードと、前記メニューキー押下に対応する操作信号の受信に応じて、メニュー画面を出力させる制御信号を前記他の映像処理装置に送信すると共に、前記他の映像処理装置から受信する映像信号の映像を前記表示部に表示する第２制御モードと、のいずれか一方を選択して処理を行う制御部とを具備することを特徴とする映像処理装置。
【手続補正３】
【補正対象書類名】明細書
【補正対象項目名】０００７
【補正方法】変更
【補正の内容】
【０００７】
課題を解決するための一実施形態は、通信路を介して他の映像処理装置と通信を行う通信部と、リモコンのキー操作に応じた操作信号を受信するリモコン通信部と、前記リモコンのメニューキー押下に対応する操作信号の受信に応じて前記通信部から自装置のメニュー画面の映像信号を出力する第１制御モードと、前記メニューキー押下に対応する操作信号の受信に応じて、前記他の映像処理装置のメニュー画面を表示させる制御信号を前記他の映像処理装置に送信する第２制御モードと、のいずれか一方を選択して処理を行う制御部とを具備することを特徴とする映像処理装置。
【手続補正４】
【補正対象書類名】明細書
【補正対象項目名】０００８
【補正方法】変更
【補正の内容】
【０００８】
課題を解決するための別の実施形態は、前記リモコンのメニューキー押下に対応する操作信号を受信し、前記リモコンのメニューキー押下に対応する操作信号の受信に応じて自装置のメニュー画面を前記表示部に表示する第１制御モードと、前記メニューキー押下に対応する操作信号の受信に応じて、メニュー画面を出力させる制御信号を前記他の映像処理装置に送信すると共に、前記他の映像処理装置から受信する映像信号の映像を前記表示部に表示する第２制御モードと、のいずれか一方を選択して処理を行う、ことを特徴とする映像処理方法。
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
ネットワークを介して接続した端末装置から、撮像の依頼が示された撮像依頼通知を受信する撮像依頼通知受信部と、
前記撮像依頼通知受信部において受信した撮像依頼通知から、撮像した撮像データの送信先に関する送信先情報を取得する送信先情報取得部と、
前記送信先情報取得部において取得した送信先情報と、撮像データとを互いに対応づけて記憶する撮像データ記憶部と、
前記撮像データ記憶部において記憶した撮像データの転送指示を受けつける転送指示受付部と、
前記転送指示受付部において受けつけた転送指示に応じて、前記撮像データ記憶部において記憶した送信先情報をあて先として、ネットワークを介して撮像データを送信する撮像データ送信部と、
を備えることを特徴とする撮像装置。
【請求項２】
前記送信先情報取得部において取得した送信先情報をあて先とした送信を許可するかが示された送信許可情報を取得する送信許可情報取得部をさらに備え、
前記撮像データ記憶部は、送信許可情報も撮像データに対応づけて記憶し、
前記撮像データ送信部は、撮像データに対応づけた送信許可情報が送信許可である場合に、撮像データを送信することを特徴とする請求項１に記載の撮像装置。
【請求項３】
撮像した結果を撮像データとして生成する撮像部をさらに備え、
前記撮像データ記憶部は、前記撮像依頼通知受信部が撮像依頼通知を受信したとき、前記撮像部が撮像中であれば、送信先情報を対応づけて、撮像中の撮像データを記憶することを特徴とする請求項１または２に記載の撮像装置。
【請求項４】
前記撮像データ記憶部は、撮像中の撮像データを記憶した後、前記撮像データ送信部から当該撮像データが送信されても、当該撮像データを削除しないことを特徴とする請求項３に記載の撮像装置。
【請求項５】
前記撮像データ送信部から撮像データを送信した後に、前記撮像データ記憶部から当該撮像データを削除するかが示された送信条件を取得する送信条件取得部をさらに備え、
前記撮像データ記憶部は、送信条件も撮像データに対応づけて記憶する手段と、前記撮像データ送信部から送信した撮像データに対応づけた送信条件が、撮像データの削除を示していれば、当該撮像データを削除する手段とを含むことを特徴とする請求項１から４のいずれかに記載の撮像装置。
【請求項６】
撮像の依頼が示された撮像依頼通知であって、かつ本端末装置に関する情報が含まれた撮像依頼通知を送信する端末装置と、
前記端末装置にネットワークを介して接続し、前記端末装置から撮像依頼通知を受信した後、撮像した撮像データを前記端末装置へ送信する撮像装置とを備え、
前記撮像装置は、
受信した撮像依頼通知から、撮像した撮像データの送信先に関する送信先情報を取得する送信先情報取得部と、
前記送信先情報取得部において取得した送信先情報と、撮像データとを互いに対応づけて記憶する撮像データ記憶部と、
前記撮像データ記憶部において記憶した撮像データの転送指示を受けつける転送指示受付部と、
前記転送指示受付部において受けつけた転送指示に応じて、前記撮像データ記憶部において記憶した送信先情報をあて先として、ネットワークを介して撮像データを送信する撮像データ送信部とを備えることを特徴とする撮像システム。